(57)【要約】      （修正有）【課題】テレビレンズ装置の可搬性とタリーランプの視認性を両立することを可能にした、テレビレンズ装置のレンズカバーを提供する。【解決手段】テレビレンズ装置用のレンズカバー１０１には、取っ手１０が設けられる。発光体１２から発せられる光をレンズカバー１０１の外部に導く導光手段１３が、取っ手１０の内部に配置されている。導光手段１３は、回転軸１４回りに回動可能に軸支され、トーションバネ１５により取っ手１０の側に付勢されており、通常は導光手段１３の一部が切り欠き部１１を介してレンズカバー１０１の外部に露出している。発光体１２が発光した際には、導光手段１３を介してレンズカバー１０１の外部に光が導かれ、タリーランプとしての機能が実現される。取っ手１０に手を掛けた際には、導光手段１３が指先で押されて退避し、指先が取っ手１０内に入り込むためのスペースが形成される。【選択図】図６
2016194663.tif 000002
【特許請求の範囲】
【請求項１】
導光手段と、
取っ手と、
を有するテレビレンズ装置に用いられるレンズカバーにおいて、
導光手段の一部が取っ手の内部に配置されていることを特徴とするレンズカバー。
【請求項２】
前記取っ手は、前記レンズカバーの側面上方に配置されていることを特徴とする請求項１に記載のレンズカバー。
【請求項３】
前記導光手段は、前記取っ手部との相対的な位置を変える退避手段を有していることを特徴とする請求項１又は請求項２に記載のレンズカバー。
【請求項４】
前記導光手段は、該導光手段の一部が弾性部材で形成されていることを特徴とする請求項１又は請求項２に記載のレンズカバー。
【請求項５】
前記導光手段は、該導光手段の一部が可動することを特徴とする請求項１又は請求項２に記載のレンズカバー。
【請求項６】
請求項１から請求項５のいずれか１項に記載のレンズカバーを有することを特徴とするレンズ装置。
【発明の詳細な説明】
【技術分野】
【０００１】
本発明は、レンズカバーに関し、特にレンズ装置のレンズカバーに関する。
【背景技術】
【０００２】
従来、レンズ装置は、撮影者が持ち運びするために、レンズカバーの両側面上部に取っ手が備えられている。
【０００３】
また、レンズカバーにはタリーランプが備えられており、点灯・消灯することでレンズ装置の撮影状態を被撮影者に知らせている。このタリーランプは、被撮影者からの視認性を高めるため、レンズカバーの両側面上部に配置するのが一般的である。
【０００４】
特許文献１では、タリーランプを備えたレンズ装置において、タリーランプの視認性を向上することができるレンズ装置が開示されている。
【先行技術文献】
【特許文献】
【０００５】
【特許文献１】特開２００８−１２４９１３号公報
【発明の概要】
【発明が解決しようとする課題】
【０００６】
しかしながら、上述の特許文献に開示された従来技術では、タリーランプの視認性は向上する一方で、取っ手はレンズ装置の一部範囲にしか備えられていない。一般に取っ手は、より広い範囲に備えられているほうが、撮影者が持ち運びする際に把持できる範囲が増えるので、可搬性が高まる。そのため、両側面上部にあるレンズ装置の取っ手を従来より広い範囲に備えると、視認性を高めるために同位置にあるタリーランプを避けて配置しなければならない。
【０００７】
そこで、本発明の目的は、レンズ装置の可搬性とタリーランプの視認性を両立することを可能にした、レンズ装置のレンズカバーを提供することにある。
【課題を解決するための手段】
【０００８】
上記の目的を達成するために、本発明は、導光手段と取っ手を有するレンズ装置に用いられるレンズカバーにおいて、導光手段の一部が取っ手の内部に配置されていることを特徴とする。
【発明の効果】
【０００９】
本発明によれば、レンズ装置の可搬性とタリーランプの視認性を両立することを可能にした、レンズ装置のレンズカバーを提供することができる。
【図面の簡単な説明】
【００１０】
【図１】レンズカバー分離時の側面図
【図２】レンズ装置の側面図
【図３】第１の実施例のＡ−Ａ断面図
【図４】第１の実施例のＢ−Ｂ断面図
【図５】第１の実施例のＣ−Ｃ断面図
【図６】第１の実施例のＢ−Ｂ断面図
【図７】第２の実施例のＢ−Ｂ断面図
【図８】第２の実施例のＣ−Ｃ断面図
【図９】第２の実施例のＢ−Ｂ断面図
【図１０】第３の実施例のＢ−Ｂ断面図
【図１１】第３の実施例のＣ−Ｃ断面図
【図１２】第３の実施例のＢ−Ｂ断面図
【発明を実施するための形態】
【００１１】
以下に、本発明の好ましい実施の形態を、添付の図面に基づいて詳細に説明する。図１から図１２は、本発明の実施形態にかかわるレンズカバーである。
【実施例１】
【００１２】
以下、図１から図６を参照して、本発明の第１の実施例による、レンズカバーについて説明する。
【００１３】
図１から図３に基づいて、レンズカバー１０１とレンズ本体１０２を詳細に説明する。図１にレンズカバー１０１とレンズ本体１０２が分離している状態の側面図を、図２にレンズカバー１０１をレンズ本体１０２に装着している状態の側面図を、図３にＡ−Ａ断面図とＤ部拡大図を示す。
【００１４】
レンズカバー１０１はレンズ本体１０２に装着することで、レンズ装置１０３として使用する。レンズカバー１０１はレンズ本体１０２に、ビス止めなどの公知の手段を用いて装着されている。
【００１５】
レンズカバー１０１は、取っ手１０・切り欠き部１１・タリーランプ１３を備えている。図３に示すように、取っ手１０は、レンズカバー１０１の両側面上部に凹形状として形成されている。レンズ装置１０３は、床に置くこともあるため、取っ手１０は撮影者が持ちやすい両側面上部に形成されていることが好適である。切り欠き部１１は、レンズカバー１０１の両側面上部にタリーランプ１３が露出するように形成されている。タリーランプ１３の配置は、被撮影者からの視認性が良い両側面上部であることが好ましい。
【００１６】
レンズ本体１０２は、発光体１２を備えている。発光体１２は、タリーランプ１３の光源であり、ＬＥＤや有機ＥＬ照明など公知の発光手段で構わない。
【００１７】
図４から図６に基づいて、取っ手１０とタリーランプ１３の構成について詳細に説明する。図４にＢ−Ｂ断面図とＥ部拡大図を、図５にＣ−Ｃ断面図とＦ部拡大図を、図６にＢ−Ｂ断面図とＧ部拡大図を示す。
【００１８】
図４に示すように、取っ手１０の一部には、導光手段としてのタリーランプ１３が配置されている。タリーランプ１３は、切り欠き部１１と発光体１２の間にあって、発光体１２から発せられる光を切り欠き部１１に導く構造となっている。図５に示すように、タリーランプ１３の側面は塞がれており、内部に指などが入らないようになっている。なお、タリーランプ１３は、切り欠き部に露出する範囲１３a以外については、不要な箇所からの光漏れを防ぐために、塗装などで不透明にすることが望ましい。
【００１９】
撮影時における取っ手１０とタリーランプ１３について述べる。
【００２０】
図４に示すように、タリーランプ１３のレンズカバー１０１への取付けは、回転軸１４を介して取付けられ、退避手段としてのトーションバネ１５により、取っ手１０の方向に付勢されている。したがってタリーランプ１３は、撮影時には発光体１２が発する光を切り欠き部１１へ導くように位置するため、切り欠き部１１からタリーランプ１３を通して発光体１２の点灯が見える。
【００２１】
撮影時以外における取っ手１０とタリーランプ１３について述べる。
【００２２】
図３に示すように、取っ手１０はタリーランプ１３が配置されていない範囲において、手を入れることができる空間が十分に確保されている。さらに図４・図６のように、タリーランプ１３が配置されている範囲において、タリーランプ１３に触れるまで深く手をいれても、回転軸１４を軸中心として取っ手１０からレンズカバー１０１内部に退避するので、タリーランプ１３が手の邪魔になることはない。
【００２３】
したがって、取っ手１０は、タリーランプ１３の配置によらず、撮影者が把持することが可能になり、可搬性のよいレンズ装置を提供できる。
【００２４】
以上の構成によって、レンズ装置の可搬性と撮影時のタリーランプの視認性を両立したレンズ装置のレンズカバーを提供することができる。
【００２５】
本実施例においては、退避手段としてトーションバネ１５を用いたが、弾性部材などを用いて取っ手１０の方向へ付勢できる構造であればよい。
【実施例２】
【００２６】
以下、図７から図９を参照して、本発明の第２の実施例による、レンズカバーについて説明する。
【００２７】
本実施例の形態では、タリーランプ１３と異なるタリーランプ１６について説明する。
【００２８】
図７から図９に基づいて、タリーランプ１６について説明する。図２と同じ位置において、図７にＢ−Ｂ断面図とＨ部拡大図を、図８にＣ−Ｃ断面図とＩ部拡大図を、図９にＢ−Ｂ断面図とＪ部拡大図を示す。
【００２９】
タリーランプ１６は、レンズカバー１０１に接着など公知の手段で取付けられている。また、タリーランプ１６は、樹脂や金属などで形成されているが、図７に示すように、１６ｂ部はゴムなどの弾性部材で形成されている。図８に示すように、タリーランプ１６の側面は塞がれており、内部に指などが入らないようになっている。
【００３０】
なお、タリーランプ１６は、切り欠き部１１に露出する範囲１６a以外については、不要な箇所からの光漏れを防ぐために、塗装などで不透明にすることが望ましい。
【００３１】
撮影時以外における取っ手１０とタリーランプ１６について述べる。
【００３２】
図９のように、タリーランプ１６が配置されている範囲において、タリーランプ１６に触れるまで深く手をいれても、１６ｂ部は弾性部材であるためレンズカバー１０１内部方向に変形して、タリーランプ１６が手の邪魔になることはない。
【００３３】
したがって、取っ手１０は、タリーランプ１６の配置によらず、撮影者が把持することが可能になり、可搬性のよいレンズ装置を提供できる。
【実施例３】
【００３４】
以下、図１０から図１２を参照して、本発明の第３の実施例による、レンズカバーについて説明する。
【００３５】
本実施例の形態では、タリーランプ１３と異なるタリーランプ１７について説明する。
【００３６】
図１０から図１２に基づいて、タリーランプ１７について説明する。図２と同じ位置において、図１０にＢ−Ｂ断面図とＫ部拡大図を、図１１にＣ−Ｃ断面図とＬ部拡大図を、図１２にＢ−Ｂ断面図とＭ部拡大図を示す。
【００３７】
タリーランプ１７は、レンズカバー１０１に接着など公知の手段で取付けられている。図１０に示すように、タリーランプ１７は、開口部１７ｂと開口蓋１７ｃを備えている。開口部１７ｂは、タリーランプ１７の取っ手１０側にあり、タリーランプ１７の一部が開口して形成されている。開口蓋１７ｃは、回転軸１８を介して、タリーランプ１７と一体となっている。また、開口蓋１７ｃは、取っ手１０側にトーションバネ１９により付勢されており、開口部１７ｂを塞いでいる。図１１に示すように、タリーランプ１７の側面は塞がれており、内部に指などが入らないようになっている。
【００３８】
なお、タリーランプ１７は、切り欠き部１１に露出する範囲１７a以外については、不要な箇所からの光漏れを防ぐために、塗装などで不透明にすることが望ましい。
【００３９】
撮影時以外における取っ手１０とタリーランプ１７について述べる。
【００４０】
図１２のように、タリーランプ１７が配置されている範囲において、タリーランプ１７に触れるまで深く手をいれても、開口蓋１７ｃ部は回転軸１８を軸中心として取っ手１０からレンズカバー１０１内部に退避するので、タリーランプ１７が手の邪魔にならない。
したがって、取っ手１０は、タリーランプ１７の配置によらず、撮影者が把持することが可能になり、可搬性のよいレンズ装置を提供できる。
【００４１】
本実施例においては、退避手段としてトーションバネ１９を用いたが、弾性部材などを用いて取っ手１０の方向へ付勢できる構造であればよい。
【００４２】
以上、本発明の好ましい実施形態について説明したが、本発明はこれらの実施形態に限定されず、その要旨の範囲内で種々の変形及び変更が可能である。
【符号の説明】
【００４３】
１０１  レンズカバー、１０２  レンズ本体、１０３  レンズ装置、１０  取っ手、
１１  切り欠き部、１２  発光体、１３，１６，１７  タリーランプ、
１３ａ，１６ａ，１７ａ  導光部、１６ｂ  弾性部、１４，１８  回転軸、
１５，１９  トーションバネ、１７ｂ  開口部、１７ｃ  開口蓋
【図２】
2016194663.tif 000003
【図１】
2016194663.tif 000004
【図３】
2016194663.tif 000005
【図４】
2016194663.tif 000006
【図５】
2016194663.tif 000007
【図６】
2016194663.tif 000008
【図７】
2016194663.tif 000009
【図８】
2016194663.tif 000010
【図９】
2016194663.tif 000011
【図１０】
2016194663.tif 000012
【図１１】
2016194663.tif 000013
【図１２】
2016194663.tif 000014